(57)【要約】【課題】撮影画像を閲覧するユーザに好ましいと思われる撮影画像データを自動的に探し出して提供する。撮影画像データの検索に好ましいと思われる検索インデックスを撮影画像データに付加する。【解決手段】画像記録装置１００は、被写体１０１が携帯するＲＦＩＤタグ１０２内のＲＦＩＤデータを撮影時に取得し、そのＲＦＩＤデータを撮影画像データに検索インデックスとして付加し、画像再生装置１０７に転送する。画像再生装置１０７は、閲覧者等のＲＦＩＤデータを検索キーとして自動取得し、その取得されたＲＦＩＤデータに適合するＲＦＩＤデータが付加されている撮影画像データを複数の撮影画像データの中から探し、探し出された撮影画像データが表す撮影画像を再生する。【選択図】図１
2007172197.tif 000002
【特許請求の範囲】
【請求項１】
撮影画像のデータである撮影画像データを入力する画像入力手段と、
前記撮影画像データ或いは前記撮影画像データの入力環境に関わる特定の情報を自動的に検出する検出手段と、
前記検出された特定の情報を前記入力された撮影画像データに検索インデックスとして自動的に付加する付加手段と
を備える画像入力装置。
【請求項２】
撮影手段を更に備え、
前記入力された撮影画像データは、前記撮影手段による撮影画像のデータであり、
前記検出手段は、無線ＩＣタグに記憶されているデータであるタグデータを無線ＩＣタグから受信する受信手段であり、
前記付加手段は、前記撮影手段による撮影の際に前記受信手段が受信したタグデータを前記撮影画像データに付加する、
請求項１記載の画像入力装置。
【請求項３】
前記撮影手段によって撮影することをユーザが指示するための指示手段と、
前記受信手段の電源と、
前記電源を制御する電源制御手段と
を更に備え、
前記電源制御手段は、前記ユーザから前記指示手段を介して撮影指示された場合に、前記電源をターンオンし、その撮影指示に応答した撮影が終了した場合に、ターンオフする、
請求項２記載の画像入力装置。
【請求項４】
前記タグデータは、前記撮影画像データの被写体を識別するための識別情報、又は、前記撮影画像データに反映するための別の情報のパスを表すパス情報である、
請求項２記載の画像入力装置。
【請求項５】
前記検出手段は、前記生成された撮影画像データの特徴を検出する特徴検出手段であり、
前記付加手段は、前記特徴検出手段によって検出された前記特徴を表す特徴情報を前記撮影画像データに付加する、
請求項１記載の画像入力装置。
【請求項６】
前記検出手段は、音声を検出するための音声検出部と、前記音声検出部によって検出された音声を文字列に変換するための変換部とを有し、
前記付加手段は、前記変換部による変換後の文字列又は該文字列から抽出したキーワードを表す文字情報を前記撮影画像データに付加する、
請求項１記載の画像入力装置。
【請求項７】
撮影手段を更に備え、
前記撮影手段による撮影画像は静止画であり、
前記音声検出部は、前記撮影手段による撮影の開始前から音声の検出を開始する、
請求項６記載の画像入力装置。
【請求項８】
前記検出手段は、前記画像入力装置の現在位置を検出するための位置検出手段であり、
前記付加手段は、前記位置検出手段によって検出された現在位置を表す位置情報を前記撮影画像データに付加する、
請求項１記載の画像入力装置。
【請求項９】
特定の情報を検索キーとして自動的に検出する検出手段と、
前記検出された特定の情報に適合する特定の情報が付加されている一以上の撮影画像データを複数の撮影画像データの中から探す検索手段と、
探し出された一以上の撮影画像データのうちの少なくとも一つを出力する出力手段と
を備える画像出力装置。
【請求項１０】
前記検出手段は、無線ＩＣタグに記憶されているデータであるタグデータを前記無線ＩＣタグから受信する受信手段であり、
前記検索手段は、前記受信したタグデータに適合するタグデータが付加されている一以上の撮影画像データを前記複数の撮影画像データの中から探す、
請求項９記載の画像出力装置。
【請求項１１】
前記検出手段は、撮影手段による撮影画像のデータを入力する画像入力部と、前記入力された撮影画像データの特徴を検出する特徴検出部とを有し、
前記検索手段は、前記特徴検出部によって検出された特徴を表す特徴情報に適合する特徴情報が付加されている一以上の撮影画像データを前記複数の撮影画像データの中から探す、
請求項９記載の画像出力装置。
【請求項１２】
前記検出手段は、各来訪予定者の識別情報と来訪予定日時とを含んだスケジュール情報から、或る時間の来訪予定者の識別情報を取得する手段であり、
前記検索手段は、前記取得された識別情報に適合する識別情報が付加されている一以上の撮影画像データを前記複数の撮影画像データの中から探す、
請求項９記載の画像出力装置。
【請求項１３】
前記検出手段は、音声を検出するための音声検出部と、前記音声検出部によって検出された音声を文字列に変換するための変換部とを有し、
前記検索手段は、前記変換部による変換後の文字列又は該文字列から抽出したキーワードを表す文字情報に適合する文字情報が付加されている一以上の撮影画像データを前記複数の撮影画像データの中から探す、
請求項９記載の画像出力装置。
【請求項１４】
撮影画像のデータである撮影画像データを入力する画像入力手段と、
前記撮影画像データ或いは前記撮影画像データの入力環境に関わる特定の情報を自動的に検出する検出手段と、
前記検出された特定の情報を前記入力された撮影画像データに検索インデックスとして自動的に付加する付加手段と、
前記特定の情報が付加された撮影画像データを記憶装置に保存する保存手段と、
撮影画像データの検索キーとしての別の特定の情報を自動的に検出する別の検出手段と、
前記検出された別の特定の情報に適合する特定の情報が付加されている一以上の撮影画像データを前記記憶装置内の複数の撮影画像データの中から探す検索手段と、
探し出された一以上の撮影画像データのうちの少なくとも一つを出力する出力手段と
を備える画像入出力システム。
【請求項１５】
撮影画像データに付加されているパス情報を該撮影画像データから取得する手段と、
前記取得されたパス情報が表すパスに従って情報を取得する手段と、
前記取得された情報を前記撮影画像データが表す画像に反映する手段と、
前記取得された情報が反映された前記画像を出力する手段と
を備える画像出力装置。
【請求項１６】
撮影手段と、
前記撮影手段による撮影画像の撮影画像データを入力する画像入力手段と、
前記撮影手段による撮影の際に、前記撮影画像データに反映するための情報のパスを表すパス情報を自動的に検出する検出手段と、
前記入力された撮影画像データに前記検出されたパス情報を自動的に付加する付加手段と、
前記パス情報が付加された撮影画像データを記憶装置に保存する保存手段と、
前記記憶装置に保存された撮影画像データに付加されているパス情報を該撮影画像データから取得する手段と、
前記取得されたパス情報が表すパスに従って情報を取得する手段と、
前記取得された情報を前記撮影画像データが表す画像に反映する手段と、
前記取得された情報が反映された前記画像を出力する手段と
を備える画像入出力システム。
【発明の詳細な説明】
【技術分野】
【０００１】
本発明は、画像の入力及び出力の技術に関する。
【背景技術】
【０００２】
例えば、特許文献１に、デジタルカメラで撮った写真データを平面ディスプレイに表示し写真立てとして機能するデジタル写真フレームが開示されている。
【０００３】
また、例えば、特許文献２に、撮影情報と撮影時刻とを対応付けて管理し、その撮影時刻と、撮影を行う撮影者の生態情報を基に得られた撮影者の感情情報とを対応付けて管理し、感情情報を可視化した画像を表示し、ユーザからその画像を介した指示を受け、指示された画像位置或いは範囲に対応する感情情報を取得し、その感情情報に対応した撮影時刻に対応する撮影情報を取得し、取得した撮影情報を再生する方法が開示されている。
【０００４】
【特許文献１】特開２００３−１６９７３４号公報
【特許文献２】特開２００５−６３１６３号公報
【発明の開示】
【発明が解決しようとする課題】
【０００５】
ところで、複数の撮影画像データの中から、所望の被写体が写っている撮影画像データや、所望の環境の下で撮影された撮影画像データが見たい場合が生じることは少なからずある。この場合、ユーザが、複数の撮影画像データの順次閲覧して探す方法が考えられる。
【０００６】
しかし、その方法では、所望の撮影画像データを探し出すまでの負担が大きく、また、撮影画像データの数が多ければ多いほど、探し出すまでに長い時間がかかり得る。これは、上述した特許文献１や２に開示の技術を利用しても、さほど解消されないと考えられる。
【０００７】
従って、本発明の目的は、撮影画像を閲覧するユーザに好ましいと思われる撮影画像データを自動的に探し出して提供することにある。
【０００８】
本発明の別の目的は、撮影画像データの検索に好ましいと思われる検索インデックスを撮影画像データに付加することにある。
【０００９】
本発明の他の目的は、後の説明から明らかになるであろう。
【課題を解決するための手段】
【００１０】
本発明の第一の側面に従う画像入力装置は、撮影画像のデータである撮影画像データを入力する画像入力手段と、前記撮影画像データ或いは前記撮影画像データの入力環境に関わる特定の情報を自動的に検出する検出手段と、検索インデックスとして利用される前記検出された特定の情報を前記入力された撮影画像データに自動的に付加する付加手段とを備える。
【００１１】
ここで、「撮影画像データの入力環境に関わる特定の情報」とは、例えば、撮影画像の被写体に関する情報（例えば被写体の識別情報）、或いは、撮影の際の環境に関する情報とすることができる。撮影の際の環境としては、例えば、画像入力装置が撮影装置（例えばデジタルスチルカメラ或いはデジタルビデオカメラ）場合、その装置の現在位置、その装置の周囲から入ってくる音声、その装置の周囲の気温などを挙げることができる。
【００１２】
また、「検索インデックス」とは、例えば、画像出力装置（典型的には、画像出力装置内のＣＰＵ）が検索キーを用いて参照されるデータである。また、「特定の情報を検索インデックスとして付加する」とは、例えば、その特定の情報が画像出力装置に検索インデックスとして利用されることを意味するものである。「特定の情報を検索インデックスとして付加する」という言葉の意味には、その特定の情報が、検索インデックスとして利用されるのに好ましい態様にその情報を加工することが含まれても良いし、検出された特定の情報が加工されることなく生データのまま付加されることが含まれても良い。
【００１３】
また、撮影画像データは、例えば、撮影手段によって入力された撮影画像のデータであっても良いし、イメージスキャナによって入力されたデータであっても良い。また、撮影画像データが表す撮影画像は、動画像であっても静止画像であっても良い。
【００１４】
上述した画像入力装置は、例えば、撮影装置（例えばデジタルスチルカメラ或いはデジタルビデオカメラ）、イメージスキャナなどの種々の画像入力装置に適用することができる。
【００１５】
本発明の第二の側面に従う画像出力装置は、特定の情報を検索キーとして自動的に検出する検出手段と、前記検出された特定の情報に適合する特定の情報が付加されている一以上の撮影画像データを前記複数の撮影画像データの中から探す検索手段と、探し出された一以上の撮影画像データのうちの少なくとも一つを出力する出力手段とを備える。
【００１６】
本発明の第三の側面に従う画像出力装置は、撮影画像データに付加されているパス情報を該撮影画像データから取得する手段と、前記取得されたパス情報が表すパスに従って情報を取得する手段と、前記取得された情報を前記撮影画像データが表す画像に反映する手段と、前記取得された情報が反映された前記画像を出力する手段とを備える。
【００１７】
上述した各画像出力装置は、例えば、表示装置（例えば、テレビジョン装置、パーソナルコンピュータ等の計算機、ディスプレイ画面を備えたデジタル写真フレーム）或いは印刷装置（例えばスタンドアロン型の印刷装置）に適用することができる。
【発明の効果】
【００１８】
本発明の第一の側面に従う画像入力装置によれば、撮影画像データの検索に好ましい検索インデックスを撮影画像データに付加することができる。
【００１９】
本発明の第二の側面に従う画像出力装置によれば、撮影画像を閲覧するユーザに好ましいと思われる撮影画像データを自動的に探し出して提供することができる。
【発明を実施するための最良の形態】
【００２０】
以下、本発明の幾つかの実施例について説明する。
【実施例１】
【００２１】
図１Ａは、本発明の第一実施例に係る画像入力装置が適用された画像記録装置の構成例を示す。図１Ｂは、本発明の第一実施例に係る画像出力装置が適用された画像再生装置の構成例を示す。
【００２２】
図１Ａにおいて、１００は、画像記録装置を示し、１０１は、被写体を示し、１０２は、被写体１０１を特定するために被写体（例えば人間）１０１が携帯するＲＦＩＤ（Radio Frequency Identification）タグを示し、１０３は、被写体１０１のＲＦＩＤタグ１０２に記憶されているデータ（以下、ＲＦＩＤデータ）を読み取るための装置（以下、ＲＦＩＤリーダ）を示し、１１５は、ＲＦＩＤリーダ１０３の電源（以下、リーダ電源）１１５を示す。ＲＦＩＤタグ１０２は、無線ＩＣタグの一種であり、ＲＦＩＤデータを記憶したり、そのＲＦＩＤデータを無線で発信したりすることができる。ＲＦＩＤタグ１０２に代えて又は加えて、他種の無線ＩＣタグを採用することができる。リーダ電源１１５は、図示しない主電源（例えば電池）から供給される電力をＲＦＩＤリーダ１０３に供給することができる。
【００２３】
また、図１Ａにおいて、１０５は、静止画或いは動画の撮影を行う撮影部（例えばレンズやＣＣＤ（Charge Coupled Devices）を備える）を示し、１１３は、画像記録装置１００を操作するためのユーザインターフェース（ＵＩ）を示し、１１６は、撮影画像データにＲＦＩＤデータを付加したり他の処理を行ったりする制御部（以下、記録制御部）を示す。記録制御部１１６は、例えば、コンピュータプログラムを読み込んで実行するＣＰＵとすることができる。
【００２４】
また、図１Ａにおいて、１０４は、ＲＦＩＤリーダ１０３により読み取られたＲＦＩＤデータが付加された撮影画像データなどのデータを記憶することができる記憶部を示し、１０６は、記憶部１０４に記憶された撮影画像データを外部の装置（例えば後述の画像再生装置１０７）に転送するための通信部を示す。記憶部１０４としては、例えば、メモリ或いは小型のハードディスクなど種々の記憶装置を採用することができる。通信部１０６は、ＵＳＢ（Universal Serial Bus）或いは赤外線などの所定の方法で通信することができる装置である。
【００２５】
図１Ｂにおいて、１０７は、撮影画像を再生することができる画像再生装置を示し、１０８は、外部の装置（例えば画像記録装置１０６）と通信するための通信部を示し、１０９は、撮影画像データなどのデータを記憶することができる記憶部を示し、１１０は、ＲＦＩＤリーダを示し、１１１は、画像再生装置１０７の動作を制御する制御部（以下、再生制御部１１１）を示し、１１２は、表示部（例えばディスプレイ画面）を示す。
【００２６】
以下、第一実施例で行われる処理の流れの一例を説明する。
【００２７】
記録制御部１１６は、画像記録装置１００の図示しない電源がオン状態の場合、リーダ電源１１５も常にオン状態にしておいても良いが、本実施例では、撮影者からＵＩ１１３を介して撮影指示を受けたときに（例えばシャッタが押されたときに）、リーダ電源１１５をターンオンし、その撮影指示に応答した撮影が終了した場合に、ターンオフすることができる。記録制御部１１６は、次の撮影指示があるまで、リーダ電源１１５をオフ状態にすることができる。
【００２８】
ＲＦＩＤリーダ１０３のリーダ電源１１５がオン状態になれば、ＲＦＩＤリーダ１０３は、ＲＦＩＤリーダ１０３の所定の通信圏内（換言すれば読み取り範囲）に存在するＲＦＩＤタグ１０２から、ＲＦＩＤデータを受信することができる。例えば、被写体１０１がその通信圏内にいれば、被写体１０１のＲＦＩＤタグ１０２から、ＲＦＩＤデータを受信することができる。ＲＦＩＤデータは、例えば、被写体１０１を特定できるユニークなものであって、具体的には、例えば、名前や重複しない番号などを採用することができる。
【００２９】
記録制御部１１６は、ＵＩ１１３を介して撮影指示を受けた場合、撮影部１０５を制御することにより、撮影を行い、被写体１０１の撮影画像のデータを入力し、その撮影画像データに、ＲＦＩＤリーダ１０３を介して入力されたＲＦＩＤデータ（例えば実質的に撮影と同時に自動的に入力されたＲＦＩＤデータ）を付加する。記録制御部１１６は、ＲＦＩＤデータが付加された撮影画像データを記憶部１０４に格納する。記録制御部１１６は、記憶部１０４から撮影画像データを読出し、その撮影画像データを通信部１０６を介して画像再生装置１０７に転送することができる。なお、撮影画像データを画像再生装置１０７に入力する別法としては、例えば、記憶部１０４が可搬型の記憶媒体（例えばカード型メモリ）であれば、その記憶媒体を画像入力装置１００から取り外し、その記憶媒体を画像再生装置１０７に接続する方法を採用することができる。
【００３０】
画像再生装置１０７のＲＦＩＤリーダ１１０の読み取り範囲内にＲＦＩＤタグを保持したユーザが入った場合、ＲＦＩＤリーダ１１０が、そのＲＦＩＤタグ内のＲＦＩＤデータを受信することができる。再生制御部１１１は、ＲＦＩＤリーダ１１０を介して受けたＲＦＩＤデータを検索キーとし、その検索キーに適合する（例えば一致する）検索インデックス（ここではＲＦＩＤデータ）が付加された撮影画像データを記憶部１０９内の複数の撮影画像データの中から探す。再生制御部１１は、探し出された撮影画像データが表す撮影画像を表示部１１２に表示することができる。
【００３１】
以上が、第一実施例で行われる処理流れの一例である。
【００３２】
なお、この第一実施例において、画像記録装置１００のＲＦＩＤリーダ１０３の読み取り範囲内には、被写体１０１が携帯するＲＦＩＤタグ１０２だけでなく、撮影者が携帯するＲＦＩＤタグ内のＲＦＩＤデータや、被写体とはならないがその近傍に存在するＲＦＩＤタグ内のＲＦＩＤデータも、撮影の際に受信される可能性がある。この場合、記録制御部１１６は、受信した全てのＲＦＩＤデータを撮影画像データに付加しても良いし、受信した複数のＲＦＩＤデータのうち所定の方向から受信したＲＦＩＤデータ（例えば、撮影部１０５に対向した側から受信したＲＦＩＤデータ）のみを撮影画像データに付加しても良い。また、ＲＦＩＤリーダ１０３の電源１１５を常にオン状態にしておき、撮影の際に入力されたＲＦＩＤデータのみが付加対象として採用されても良い。
【００３３】
また、この第一実施例において、画像再生装置１０７のＲＦＩＤリーダ１１０の読み取り範囲には、複数のユーザが存在する可能性があり、その場合、複数のＲＦＩＤデータを同時に或いは連続的に受信する可能性がある。再生制御部１１１は、ＲＦＩＤデータを受信してすぐに撮影画像データの検索を開始しても良いが、初めにＲＦＩＤデータを受信してから一定時間経過した後に（他のＲＦＩＤデータを受信してから）、その間に受けた複数のＲＦＩＤデータの全て又は少なくとも一つを有する撮影画像データを探しても良い。
【００３４】
また、この第一実施例において、再生制御部１１１は、撮影画像を表示した後、例えば、別のユーザが新たに読み取り範囲に入ることで新たに別のＲＦＩＤデータの入力があった場合、その別のＲＦＩＤデータを有する撮影画像データを探し、探し出された撮影画像データが表す撮影画像を、先に表示された撮影画像に代えて又は並べて表示することができる。再生制御部１１１は、撮影画像データの検索を行う都度に、表示部１１２における表示を、探し出された撮影画像に更新することができる。
【００３５】
また、この第一実施例において、再生制御部１１１は、二以上の撮影画像データが探し出された場合には、探し出された二以上の撮影画像データにそれぞれ対応した二以上の撮影画像を一覧で表示しても良いし、二以上の撮影画像を一つずつ順次に表示しても良い。
【００３６】
また、この第一実施例において、ＲＦＩＤリーダ１１０は、画像再生装置１０７の外に置かれ、ＲＦＩＤリーダ１１０が読み取ったＲＦＩＤデータを取得可能な装置、例えば、ＲＦＩＤリーダ１１０と通信可能な通信装置を画像再生装置１０７に具備し、外部のＲＦＩＤリーダが取得したＲＦＩＤデータをその通信装置が受信するようにしてもよい。
【００３７】
以上、上述した第一実施例によれば、撮影の際に、被写体１０１のＲＦＩＤデータが、撮影者や被写体１０１が特段の操作を行うことなく自動的に取得されて、そのＲＦＩＤデータが撮影画像データに付加される。つまり、撮影画像データに付加されるＲＦＩＤデータは、撮影時に自動的に取得されたものである。従って、そのＲＦＩＤデータは、撮影画像データの検索に好ましいと思われる検索インデックスとなる。
【００３８】
また、画像再生装置１０７では、ユーザのＲＦＩＤデータが、ユーザが特段の操作を行うことなく自動的に取得される。そして、画像再生装置１０７が行う画像検索では、その取得されたＲＦＩＤデータが検索キーとして利用され、各撮影画像データに付加されているＲＦＩＤデータが検索インデックスとして利用される。そのような利用により検索された撮影画像が再生される。これにより、表示部１１２に映し出される撮影画像を閲覧するユーザ（一人でも複数でも良い）に好ましいと思われる撮影画像を自動的に探し出して提供することができる。このため、例えば、友人等の写真を撮影し、その友人等が訪ねてきたときに、自動的に再生される撮影画像がその友人を含むものになり、友人との会話の端緒になるなどコミュニケーションの補助手段として有効なものとなる。
【実施例２】
【００３９】
図２Ａは、本発明の第二実施例に係る画像入力装置が適用された画像記録装置の構成例を示す。図２Ｂは、本発明の第二実施例に係る画像出力装置が適用された画像再生装置の構成例を示す。以下、先の実施例との相違点を主に説明し、それとの共通点については説明を省略或いは簡略する。また、先の実施例における要素と実質的に同一の要素については、同一の参照番号を付すものとする。
【００４０】
図２Ａに示すように、第二実施例では、画像記録装置２００の記録制御部２０３は、撮影画像データの特徴を検出（例えば算出）し、検出された特徴を表すデータ（以下、画像特徴データ）を、撮影画像データに付加して記憶部１０４に格納することができる。撮影画像データの特徴を検出するタイミングとしては、撮影時（例えば撮影画像データが生成された時）を採用することができるが、それに限らず、他のタイミングであっても良い。
【００４１】
図２Ｂに示すように、第二実施例では、画像再生装置２０６には、撮影部２０９が備えられる。画像再生装置２０６の再生制御部２１１は、撮影部２０９による撮影画像のデータの特徴を検出する。そして、再生制御部２１１は、検出された特徴を表すデータを検索キーとし、そのデータに適合する画像特徴データが付加された撮影画像データを記憶部１０９内の複数の撮影画像データから探し、探し出された撮影画像データが表す撮影画像を表示部１１２に表示することができる。
【００４２】
以上、この第二実施例では、画像特徴データが、撮影者や被写体１０１が特段の操作を行うことなく自動的に取得されて、その画像特徴データが撮影画像データに付加される。つまり、撮影画像データに付加される画像特徴データは、撮影画像データを基に自動的に取得されたものである。従って、その画像特徴データは、撮影画像データの検索に好ましいと思われる検索インデックスとなる。
【００４３】
また、画像再生装置１０７でも、画像特徴データが、ユーザが特段の操作を行うことなく自動的に取得される。そして、画像再生装置１０７が行う画像検索では、その取得された画像特徴データが検索キーとして利用され、各撮影画像データに付加されている画像特徴データが検索インデックスとして利用される。そのような利用により検索された撮影画像が再生される。これにより、表示部１１２に映し出される撮影画像を閲覧するユーザ（一人でも複数でも良い）に好ましいと思われる撮影画像を自動的に探し出して提供することができる。
【００４４】
なお、この第二実施例では、画像再生装置２０６に撮影部２０９が内蔵されているが、それに代えて、例えば図２Ｃに例示するように、外部の撮影装置２１５（例えば、家庭にあるカメラ付のインタフォン、或いは別種の監視用カメラ）で撮影を行い、その撮影による撮影画像データを画像再生装置２１５が撮影装置２１５から受信するようにしてもよい。この場合、通常、人間による意識無しに撮影が行われるため、人間の負担無く、検索キーとしての画像特徴データの基となる撮影画像データを取得することが可能となる。
【実施例３】
【００４５】
図３Ａは、本発明の第三実施例に係る画像入力装置が適用された画像記録装置の構成例を示す。図３Ｂは、本発明の第三実施例に係る画像出力装置が適用された画像再生装置の構成例を示す。
【００４６】
図３Ａに示すように、画像記録装置３００は、音声入力部３０３（例えばマイク）と、その音声入力部３０３の電源（以下、音声電源）３１５を備える。記録制御部３３３は、ＵＩ１１３に所定の操作が行われたことを検出した場合に、音声電源３１５をターンオンし、それにより、音声入力部３０３に音声を入力できるようにすることができる。所定の操作としては、例えば、撮影画像が静止画の場合、シャッタが半押しなどを採用することができる。
【００４７】
記録制御部３３３は、撮影の際に音声入力部３０３を介して入力された音声のデータを文字列のデータに変換する。例えば、記録制御部３３３は、「山田さん」という音声が入力された場合、「山田さん」という文字列のデータに変換することができる。
【００４８】
そして、記録制御部３３３は、変換後の文字列の全部又は一部であるデータ（以下、音声文字データ）を、撮影画像データに付加して記憶部１０４に格納することができる。変換後の文字列の一部としては、例えば、文字列における各単語とすることができる。
【００４９】
図３Ｂに示すように、画像再生装置３０６も、音声入力部３０９を備えることができる。再生制御部３１０は、音声入力部３０９に入力された音声のデータを、記録制御部３３３と同様の音声文字データに変換する。そして、再生制御部３１０は、その音声文字データを検索キーとし、その音声文字データに適合する音声文字データが付加された撮影画像データを記憶部１０９から探し、探し出された撮影画像データが表す撮影画像を表示部１１２に表示する。
【００５０】
この第三の実施例によれば、例えば、被写体１０１の名前を呼んで撮影した場合に、その被写体１０１の撮影画像データに、その名前が書かれた音声文字データを付加することができる。つまり、撮影画像データに付加される音声文字データは、撮影時に自動的に取得されたものであり、故に、そのデータは、撮影画像データの検索に好ましいと思われる検索インデックスとなる。
【００５１】
また、画像再生装置１０７では、ユーザの音声を基に得られた音声文字データが、ユーザが特段の操作を行うことなく自動的に取得される。そして、画像再生装置１０７が行う画像検索では、その取得された音声文字データが検索キーとして利用され、各撮影画像データに付加されている音声文字データが検索インデックスとして利用される。そのような利用により検索された撮影画像が再生される。これにより、表示部１１２に映し出される撮影画像を閲覧するユーザ（一人でも複数でも良い）に好ましいと思われる撮影画像を自動的に探し出して提供することができる。例えば、音声入力部３０９の音声認識可能な範囲内で、例えば、来訪したユーザに対して「山田さん。いらっしゃい。」のように人名を発声すれば、その人名を含んだ音声文字データが得られて、その人名を含んだ音声文字データを有する撮影画像データを自動で探すことができる。
【００５２】
なお、この第三実施例では、動画撮影の場合、撮影時にモノローグとして状況、被写体等の情報を音声として認識させても良いし、その撮影により入力された音声それ自体に基づいて音声文字データが生成されても良い。
【００５３】
また、画像再生装置３０６の音声入力部３０９は、外部に設置されても良い。具体的には、例えば、住居のインタフォンに具備し、インタフォンの近傍で来訪者が自分の名前を発声したならば、その発声がインタフォンから画像再生装置３０６に入力されても良い。或いは、インタフォンが、その発声された名前を有する音声文字データを生成し、その音声文字データを画像再生装置３０６に入力してもよい。
【実施例４】
【００５４】
図４Ａは、本発明の第四実施例に係る画像入力装置が適用された画像記録装置の構成例を示す。図４Ｂは、本発明の第四実施例に係る画像出力装置が適用された画像再生装置の構成例を示す。
【００５５】
図４Ａに示す画像記録装置４００は、アミューズメントパーク等の施設に設置される撮影装置とすることができる。この第四実施例では、被写体１０１がＲＦＩＤタグを携帯しなくても良く、例えば、ＲＦＩＤタグ４０２は、画像記録装置４００のＲＦＩＤリーダ１０３の通信圏内の所定場所に設置することができる。この第四実施例では、ＲＦＩＤデータは、ＵＲＬ（Uniform Resource Locator）であるが、或る情報へのパスを表す他種のパス情報を採用することもできる。
【００５６】
図４Ｂに示す画像再生装置４０７は、インターネット或いはＬＡＮ等の通信ネットワークを介した通信のインタフェース装置であるネットワーク通信部４１１を備える。
【００５７】
再生制御部４１０は、記憶部１０９内の撮影画像データから、それに付加されているＵＲＬ（ＲＦＩＤデータ）を抽出する。そして、再生制御部４１０は、抽出されたＵＲＬにネットワーク通信部４１１を介してアクセスし、それにより、そのＵＲＬにある情報をダウンロードする。その情報は、この第四実施例では、図５Ａに例示するような、撮影画像データの装飾となるいわゆるフレーム画像５００であるが、他種の情報を採用することもできる。なお、フレーム画像５００は、画像エリア５０１が設けられており、そのエリア５０１内に、下層の撮影画像データにおける、画像エリア５０１と同じ位置における領域部分が適用される。
【００５８】
再生制御部５０１は、ダウンロードされたフレーム画像５００を、図５Ａに例示するように、撮影画像データに重ねることにより（つまり画像合成を行うことにより）、図５Ｂに例示するような合成画像を生成し、その合成画像を表示部１１２に表示することができる。
【００５９】
この第四実施例によれば、撮影画像データに反映される情報が自動的に取得され、その情報が反映された撮影画像が表示される。これにより、ユーザに好ましいと思われる撮影画像を提供することができる。
【００６０】
なお、この第四実施例では、ＲＦＩＤタグ４０２に記憶されるＵＲＬ、或いは、そのＵＲＬに存在する情報は、変えられても良い。これにより、同じ場所の画像記録装置４００で撮影をしても、異なるフレーム画像が反映された撮影画像データを得ることができる。これにより、ユーザにとって楽しみができる。
【００６１】
また、ＵＲＬだけでなく、パスワードのようなものがＲＦＩＤデータに含まれても良い。これにより、ＵＲＬを知っているだけでは、そのＵＲＬにあるフレーム画像を取得できない。つまり、その場所の撮影装置で撮影をしない限り、フレーム画像が取得できないため、アミューズメント施設などへのリピート率の向上も考えられる。
【実施例５】
【００６２】
図６Ａは、本発明の第五実施例に係る画像出力装置が適用された画像再生装置の構成例を示す。なお、本発明の第五実施例に係る画像入力装置が適用された画像記録装置は格別図示しないが、その画像記録装置として、第一実施例の画像記録装置１００と実質的に同じ装置を採用することができる。
【００６３】
画像再生装置６０７の所定の記憶域に、スケジュール情報６１０が記憶されている。スケジュール情報には、例えば、各来訪毎に、来訪予定日時、来訪予定者名、ＲＦＩＤデータが記憶されている。そのＲＦＩＤデータは、例えば、来訪予定者を特定するための情報である。
【００６４】
再生制御部６１１は、タイマ６１２から現在日時を取得し、その現在日時から所定時間内（例えば１時間以内）に属する来訪予定日時に対応したＲＦＩＤデータをスケジュール情報６１０から取得する。再生制御部６１１は、取得されたＲＦＩＤデータに適合するＲＦＩＤデータが付加された撮影画像データを記憶部１０９内から探し、探し出された撮影画像データの撮影画像を表示部１１２に表示する。その際、再生制御部６１１は、撮影画像の近傍に、スケジュール情報６１０に含まれている来訪予定日時を表示しても良い。
【００６５】
この第五実施例によれば、登録されたスケジュール情報６１０を基に、来訪予定日時の前（例えば直前）に、来訪予定者の撮影画像が自動的に検索されて表示されるので、来訪予定者を事前に確認することができるし、また、実際に来訪があった場合、それが、撮影画像の被写体の人物と異なっている場合には、来訪を許さないといった判断もすることができる（つまりセキュリティの向上が図れる）。
【００６６】
なお、この第五実施例において、スケジュール情報が、画像再生装置６０７の外で記憶されても良い。また、撮影画像の被写体を特定できる情報であれば、ＲＦＩＤデータ以外の種類のデータ（例えば音声文字データなど）も採用可能である。
【実施例６】
【００６７】
図７Ａは、本発明の第六実施例に係る画像入力装置が適用された画像記録装置の構成例を示す。図７Ｂは、本発明の第六実施例に係る画像出力装置が適用された画像再生装置の構成例を示す。
【００６８】
図７Ａに示すように、画像記録装置７００は、ＧＰＳ（Global Positioning System）装置７０３やタイマ７０２を備えることができる。ＧＰＳ装置７０３は、画像記録装置７００の現在位置を表す位置情報を取得することができる。タイマ７０２は、現在日時を表す日時情報を記録制御部７０５に与えることができる。
【００６９】
記録制御部７０５は、撮影の際に取得された位置情報（ＧＰＳ装置７０３からの情報）、及び日時情報（タイマ７０２からの情報）を撮影画像データに付加し、記憶部１０４に格納する。
【００７０】
図７Ｂに示すように、画像再生装置７０８には、音声入力部３０９が備えられる。再生制御部７１０は、音声入力部３０９を介して入力された音声を文字例に変換し、その文字列を構成する文字又は文字群に適合する位置情報及び日時情報のうちの両方又は一方が付加された撮影画像データを記憶部１０９から探し、探し出された撮影画像データの撮影画像を表示部１１２に表示することができる。
【００７１】
ここで、例えば、検索インデックス及び検索キーの少なくとも一方の位置情報は、ＧＰＳ装置７０３から取得された緯度・経度情報ではなく、その緯度・経度情報を用いて取得された場所名（例えば、地名、施設名など）であっても良い。その場所名は、例えば、緯度・経度情報が取得された場合に、その緯度・経度情報を用いて所定の地図情報（例えば緯度・経度と場所名とが対応付けられた情報）を検索することで、取得することができる。
【００７２】
この第六実施例によれば、所望の位置や日時を発声すれば、その位置及び／又は日時に撮影された撮影画像が検索されて取得される。これにより、ユーザに好ましいと思われる撮影画像を提供することができる。
【００７３】
以上、本発明の幾つかの実施例を説明したが、その幾つかの実施例のうちの少なくとも一つを抽象的に表現すると、例えば、以下のように表現することができる。
【００７４】
すなわち、画像入力装置は、撮影画像のデータである撮影画像データを入力する画像入力手段と、前記撮影画像データそれ自体或いはそれの入力環境に関わる特定の情報を自動的に検出する検出手段と、前記検出された特定の情報を前記入力された撮影画像データに検索インデックスとして自動的に付加する付加手段とを備えることができる。画像入力装置は、特定の情報が付加された撮影画像データを記憶装置に保存する手段を備えても良い。その記憶装置は、メモリ或いはハードディスクなどの記録媒体であっても良いし、ＷＥＢサーバやデータベースサーバ等のコンピュータマシンであっても良い。
【００７５】
画像入力装置の第一の態様として、撮影手段が更に備えられてもよい。前記入力された撮影画像データは、前記撮影手段による撮影画像のデータとすることができる。前記検出手段は、無線ＩＣタグに記憶されているデータであるタグデータをその無線ＩＣタグから受信する受信手段であるとすることができる。前記付加手段は、前記撮影手段による撮影の際に前記受信手段が受信したタグデータを前記撮影画像データに付加することができる。画像入力装置は、更に、前記撮影手段によって撮影することをユーザが指示するための指示手段と、前記タグ受信手段の電源と、前記電源を制御する電源制御手段とを更に備えることができる。前記電源制御手段は、撮影が行われていない間は前記電源をオフ状態にし、前記ユーザから前記指示手段を介して撮影指示されたことを取得した場合に、前記電源をターンオンすることができる。また、前記タグデータは、前記撮影画像データの被写体を識別するための識別情報、又は、前記撮影画像データに反映するための別の情報のパスを表すパス情報（相対パスであっても絶対パスであっても良い）であるとすることができる。
【００７６】
画像入力装置の第二の態様として、前記検出手段は、前記生成された撮影画像データの特徴を検出する特徴検出手段とすることができる。前記付加手段は、前記特徴検出手段によって検出された前記特徴を表す特徴情報を前記撮影画像データに付加することができる。
【００７７】
画像入力装置の第三の態様として、前記検出手段は、音声を検出するための音声検出部と、前記音声検出部によって検出された音声を文字列に変換するための変換部とを有することができる。前記付加手段は、前記変換部による変換後の文字列又は該文字列から抽出したキーワードを表す文字情報を前記撮影画像データに付加することができる。撮影手段が更に備えられてもよい。前記撮影手段による撮影画像が静止画である場合、前記音声検出部は、前記撮影手段による撮影の開始前から音声の検出を開始することができる。
【００７８】
画像入力装置の第四の態様として、前記検出手段は、前記画像入力装置の現在位置を検出するための位置検出手段とすることができる。前記付加手段は、前記位置検出手段によって検出された現在位置を表す位置情報を前記撮影画像データに付加することができる。
【００７９】
或る側面に従う画像出力装置は、特定の情報を検索キーとして自動的に検出する検出手段と、前記検出された特定の情報に適合する特定の情報が付加されている一以上の撮影画像データを前記複数の撮影画像データの中から探す検索手段と、探し出された一以上の撮影画像データのうちの少なくとも一つを出力する出力手段とを備えることができる。
【００８０】
この画像出力装置の第一の態様として、前記検出手段は、タグデータを受信するタグ受信手段とすることができる。前記検索手段は、前記受信したタグデータに適合するタグデータが付加されている一以上の撮影画像データを前記複数の撮影画像データの中から探すことができる。
【００８１】
この画像出力装置の第二の態様として、前記検出手段は、撮影手段による撮影画像のデータを入力する画像入力部と、前記入力された撮影画像データの特徴を検出する特徴検出部とを有することができる。前記検索手段は、前記特徴検出部によって検出された特徴を表す特徴情報に適合する特徴情報が付加されている一以上の撮影画像データを前記複数の撮影画像データの中から探すことができる。
【００８２】
この画像出力装置の第三の態様として、前記検出手段は、各来訪予定者の識別情報と来訪予定日時とを含んだスケジュール情報から、或る時間の来訪予定者の識別情報を取得する手段とすることができる。前記検索手段は、前記取得された識別情報に適合する識別情報が付加されている一以上の撮影画像データを前記複数の撮影画像データの中から探すことができる。
【００８３】
この画像出力装置の第四の態様として、前記検出手段は、音声を検出するための音声検出部と、前記音声検出部によって検出された音声を文字列に変換するための変換部とを有することができる。前記検索手段は、前記変換部による変換後の文字列又は該文字列から抽出したキーワードを表す文字情報に適合する文字情報が付加されている一以上の撮影画像データを前記複数の撮影画像データの中から探すことができる。
【００８４】
以上、本発明の幾つかの実施例を説明したが、これらは本発明の説明のための例示であって、本発明の範囲をこれらの実施例にのみ限定する趣旨ではない。本発明は、他の種々の形態でも実施することが可能である。例えば、画像記録装置と画像再生装置とを一体化することもできる。一体化されたものとして、例えば、携帯電話機や他種の装置を採用することができる。
【図面の簡単な説明】
【００８５】
【図１】図１Ａは、本発明の第一実施例に係る画像入力装置が適用された画像記録装置の構成例を示す。図１Ｂは、本発明の第一実施例に係る画像出力装置が適用された画像再生装置の構成例を示す。
【図２】図２Ａは、本発明の第二実施例に係る画像入力装置が適用された画像記録装置の構成例を示す。図２Ｂは、本発明の第二実施例に係る画像出力装置が適用された画像再生装置の構成例を示す。図２Ｃは、第二実施例の一変形例を示す。
【図３】図３Ａは、本発明の第三実施例に係る画像入力装置が適用された画像記録装置の構成例を示す。図３Ｂは、本発明の第三実施例に係る画像出力装置が適用された画像再生装置の構成例を示す。
【図４】図４Ａは、本発明の第四実施例に係る画像入力装置が適用された画像記録装置の構成例を示す。図４Ｂは、本発明の第四実施例に係る画像出力装置が適用された画像再生装置の構成例を示す。
【図５】図５Ａは、第四実施例における画像合成の説明図である。図５Ｂは、その画像合成による合成画像の一例を示す。
【図６】図６Ａは、本発明の第五実施例に係る画像出力装置が適用された画像再生装置の構成例を示す。図６Ｂは、スケジュール情報の構成例を示す。
【図７】図７Ａは、本発明の第六実施例に係る画像入力装置が適用された画像記録装置の構成例を示す。図７Ｂは、本発明の第六実施例に係る画像出力装置が適用された画像再生装置の構成例を示す。
【符号の説明】
【００８６】
１００…画像記録装置  １０１…被写体  １０２…ＲＦＩＤ  １０３…ＲＦＩＤリーダ  １０４…記憶部  １０５…撮影部  １０６…通信部  １０７…画像再生装置  １０８…通信部  １０９…記憶部  １１０…ＲＦＩＤリーダ  １１１…再生制御部  １１２…表示部  １１６…記録制御部
【図１】
2007172197.tif 000003
【図２】
2007172197.tif 000004
【図３】
2007172197.tif 000005
【図４】
2007172197.tif 000006
【図５】
2007172197.tif 000007
【図６】
2007172197.tif 000008
【図７】
2007172197.tif 000009